(57)【要約】【課題】ダブルフィードの発生を適切に検出する。【解決手段】くじ用媒体読取装置は、搬送部、読取部、複数のセンサ部、制御部を有する。搬送部は、くじに利用される媒体を搬送方向へ搬送する。読取部は、媒体の画像を読み取る。複数のセンサ部は、搬送方向に垂直である幅方向の位置が互いに異なる複数の位置を媒体がそれぞれ通過しているか否かを検出する。制御部は、媒体が複数の位置をそれぞれ通過する複数のタイミングに基づいて媒体のダブルフィードが発生しているか否かを判定する。【選択図】図３
2019108184.tif 000002
【特許請求の範囲】
【請求項１】
くじに利用される媒体を搬送方向へ搬送する搬送部と、
前記媒体の画像を読み取る読取部と、
前記搬送方向に垂直である幅方向の位置が互いに異なる複数の位置を前記媒体がそれぞれ通過しているか否かを検出する複数のセンサ部と、
前記媒体が前記複数の位置をそれぞれ通過する複数のタイミングに基づいて前記媒体のダブルフィードが発生しているか否かを判定する制御部と
を備えたことを特徴とするくじ用媒体読取装置。
【請求項２】
前記制御部は、
前記複数の位置のうち、前記搬送方向に関して同じ位置である第１位置と第２位置とを前記媒体が同時に通過している第１のタイミングと、
前記複数の位置のうち、前記幅方向に関して前記第１位置と前記第２位置との間に位置する第３位置を前記媒体が通過している第２のタイミングと
に基づいて前記ダブルフィードが発生しているか否かを判定する
ことを特徴とする請求項１に記載のくじ用媒体読取装置。
【請求項３】
前記媒体が前記複数の位置を通過する前に前記媒体を前記幅方向へ移動させる幅寄せ部
をさらに備えたことを特徴とする請求項１または２に記載のくじ用媒体読取装置。
【請求項４】
前記媒体の厚みを測定する厚みセンサ部をさらに備え、
前記制御部は、前記厚みに基づいて前記ダブルフィードが発生しているか否かを判定し、前記厚みに基づいて前記ダブルフィードが発生していないと判定したときに、前記複数のタイミングに基づいて前記ダブルフィードが発生しているか否かを判定する
ことを特徴とする請求項１〜３の何れか１項に記載のくじ用媒体読取装置。
【請求項５】
前記制御部は、
前記複数のタイミングに基づいて前記ダブルフィードが発生していないと判定したときに、前記画像に基づいて前記ダブルフィードが発生しているか否かを判定する
ことを特徴とする請求項１〜４の何れか１項に記載のくじ用媒体読取装置。
【請求項６】
くじに利用される媒体を搬送方向へ搬送し、
前記媒体の画像を読み取り、
前記搬送方向に垂直である幅方向の位置が互いに異なる複数の位置を前記媒体がそれぞれ通過しているか否かを検出し、
前記媒体が前記複数の位置をそれぞれ通過する複数のタイミングに基づいて前記媒体のダブルフィードが発生しているか否かを判定する
処理をコンピュータが実行するくじ用媒体読取方法。
【請求項７】
くじに利用される媒体を搬送方向へ搬送し、
前記媒体の画像を読み取り、
前記搬送方向に垂直である幅方向の位置が互いに異なる複数の位置を前記媒体がそれぞれ通過しているか否かを検出し、
前記媒体が前記複数の位置をそれぞれ通過する複数のタイミングに基づいて前記媒体のダブルフィードが発生しているか否かを判定する
処理をコンピュータに実行させるためのくじ用媒体読取プログラム。
【発明の詳細な説明】
【技術分野】
【０００１】
開示の技術は、くじ用媒体読取装置、くじ用媒体読取方法およびくじ用媒体読取プログラムに関する。
【背景技術】
【０００２】
スポーツの試合結果を予想するスポーツくじがある。スポーツくじの投票者は、投票シートに投票情報を記入してスポーツくじ売場でくじ券を購入し、くじ券をスポーツくじ売場に提出することにより当せん金を受け取ることができる。また、スポーツくじ売場において、複数のくじ券や複数の投票シートを自動搬送して画像を読み取るくじ用媒体読取装置がある。くじ用媒体読取装置において、くじ券や投票シートを読み取る際、複数のくじ券または複数の投票シートが重なった状態で搬送されるダブルフィードが発生することがある。
【０００３】
くじ用媒体読取装置は、搬送されているくじ券や投票シートの厚みを測定する厚みセンサを備え、測定された厚みに基づいてダブルフィードの発生の有無を検出している。搬送されているくじ券や投票シートの長さと幅とを検出するセンサを備え、検出された長さと幅とに基づいてダブルフィードの発生の有無を検出するくじ用媒体読取装置も知られている（特許文献１、２参照）。
【先行技術文献】
【特許文献】
【０００４】
【特許文献１】特開２００８−０１３３４５号公報
【特許文献２】特開２００５−１６２４２５号公報
【発明の概要】
【発明が解決しようとする課題】
【０００５】
しかしながら、このようなくじ用媒体読取装置は、様々なサイズのくじ券や投票シートが同一の搬送路を搬送される際、ダブルフィードの発生を適切に検出することができない場合がある。
【０００６】
開示の技術は、かかる点に鑑みてなされたものであって、ダブルフィードの発生を適切に検出するくじ用媒体読取装置、くじ用媒体読取方法およびくじ用媒体読取プログラムを提供することを目的とする。
【課題を解決するための手段】
【０００７】
開示の態様では、くじ用媒体読取装置は、搬送部、読取部、複数のセンサ部、制御部を備える。搬送部は、くじに利用される媒体を搬送方向へ搬送する。読取部は、媒体の画像を読み取る。複数のセンサ部は、搬送方向に垂直である幅方向の位置が互いに異なる複数の位置を媒体がそれぞれ通過しているか否かを検出する。制御部は、媒体が複数の位置をそれぞれ通過する複数のタイミングに基づいて媒体のダブルフィードが発生しているか否かを判定する。
【発明の効果】
【０００８】
開示のくじ用媒体読取装置、くじ用媒体読取方法およびくじ用媒体読取プログラムは、ダブルフィードの発生を適切に検出することができる。
【図面の簡単な説明】
【０００９】
【図１】図１は、実施例にかかるくじ発券照合装置の一例を示すブロック図である。
【図２】図２は、実施例にかかるくじ用媒体読取装置の一例を示す透視側面図である。
【図３】図３は、搬送路における各センサの配置の概略の一例を示す平面図である。
【図４】図４は、くじ用媒体読取装置により画像が読み取られる媒体の一例を示す図である。
【図５】図５は、制御装置の一例を示すブロック図である。
【図６】図６は、媒体の種類を判定する動作の一例を示すフローチャートである。
【図７】図７は、２つの媒体が重なった状態で搬送路を搬送される第１ダブルフィード状態の一例を示す平面図である。
【図８】図８は、２つの媒体が重なった状態で搬送路を搬送される第２ダブルフィード状態の一例を示す平面図である。
【図９】図９は、２つの媒体が重なった状態で搬送路を搬送される第３ダブルフィード状態の一例を示す平面図である。
【図１０】図１０は、２つの媒体が重なった状態で搬送路を搬送される第４ダブルフィード状態の一例を示す平面図である。
【図１１】図１１は、２つの媒体が重なった状態で搬送路を搬送される第５ダブルフィード状態の一例を示す平面図である。
【図１２】図１２は、２つの媒体が重なった状態で搬送路を搬送される第６ダブルフィード状態の一例を示す平面図である。
【図１３】図１３は、２つの媒体が重なった状態で搬送路を搬送される第７ダブルフィード状態の一例を示す平面図である。
【図１４】図１４は、２つの媒体が重なった状態で搬送路を搬送される第８ダブルフィード状態の一例を示す平面図である。
【図１５】図１５は、媒体が傾いた状態で搬送路を搬送される第１傾斜状態の一例を示す平面図である。
【図１６】図１６は、媒体が傾いた状態で搬送路を搬送される第２傾斜状態の一例を示す平面図である。
【図１７】図１７は、２つの媒体が重なった状態で搬送路を搬送される第９ダブルフィード状態の一例を示す平面図である。
【発明を実施するための形態】
【００１０】
以下に、本願が開示するくじ用媒体読取装置、くじ用媒体読取方法およびくじ用媒体読取プログラムについて、図面を参照して説明する。なお、以下の記載により開示の技術が限定されるものではない。また、以下の記載においては、同一の構成要素に同一の符号を付与し、重複する説明を省略する。なお、以下の実施例では、「媒体」とは、長方形状のくじ券またはくじ投票券であるとするが、これに限られず、他の紙葉類であってもよい。また、本願が開示する技術は、他の紙葉類を搬送する搬送部を有する装置に広く適用できる。
【実施例】
【００１１】
（くじ発券照合装置）
図１は、実施例にかかるくじ発券照合装置の一例を示すブロック図である。実施例にかかるくじ発券照合装置２は、くじ用媒体読取装置１、カード読取装置３、お客様表示用モニタ５、店舗表示用モニタ６、チケットプリンタ７、制御装置８を有する。図１に示すように、くじ用媒体読取装置１、カード読取装置３、お客様表示用モニタ５、店舗表示用モニタ６、チケットプリンタ７は、制御装置８と接続されている。
【００１２】
カード読取装置３は、会員カードが挿入されると、会員カードに記録されている会員情報を読み取り、読み取った会員情報を制御装置８へ送信する。お客様表示用モニタ５は、制御装置８により生成されたお客様用表示情報を画面表示する。店舗表示用モニタ６は、制御装置８により生成された店舗表示情報を画面表示する。チケットプリンタ７は、制御装置８により生成されたくじに関する情報を所定の媒体に印刷する。制御装置８は、ルータ１０と接続され、公衆網もしくは閉域網を介して他の情報処理装置、例えばくじ券の発券、くじ券の管理、くじの払い戻しなどを行う管理サーバ（不図示）と通信する。
【００１３】
（くじ用媒体読取装置）
図２は、実施例にかかるくじ用媒体読取装置の一例を示す透視側面図である。図３は、搬送路における各センサの配置の概略の一例を示す平面図である。図３は、図２に示すＺ方向から実施例にかかるくじ用媒体読取装置１を見た平面図である。図２に示すように、くじ用媒体読取装置１は、トレイ１１、スタッカ１２−１〜１２−３、挿入検知センサ１４、搬送部１５、遮光検知センサ１６−１〜１６−３、イメージセンサ１７、厚みセンサ１８、切替部１９を有する。
【００１４】
挿入検知センサ１４は、トレイ１１に媒体が載置されているか否かを検知する。搬送部１５は、搬送路２１、ピックローラ２３、搬送ローラ対２４−１〜２４−３を有する。ピックローラ２３は、トレイ１１に載置されている媒体を搬送路２１へ繰り出す。搬送ローラ対２４−１〜２４−３は、ピックローラ２３により搬送路２１へ繰り出された媒体を、上下から挟んだ状態で搬送路２１の上流側から下流側（搬送方向２２の方向）へ搬送する。
【００１５】
図２および図３に示すように、遮光検知センサ１６−１〜１６−３は、搬送路２１において、イメージセンサ１７および厚みセンサ１８よりも上流側に配置されている。また、図３に示すように、遮光検知センサ１６−１〜１６−３は、搬送路２１において、搬送路２１の幅方向に所定の間隔で配置されている。遮光検知センサ１６−１〜１６−３は、例えばフォトセンサである。遮光検知センサ１６−１〜１６−３は、各投光部が照射する光が搬送路２１を搬送される媒体により遮光され、対応する各受光部により受光されない場合に、搬送路２１における遮光検知センサ１６−１〜１６−３の各位置を媒体が通過していることを検知する。以下、遮光検知センサ１６−１〜１６−３の各投光部が照射する光が搬送路２１を搬送される媒体により遮光されることを「センサ遮光」という。
【００１６】
イメージセンサ１７は、搬送路２１において、遮光検知センサ１６−１〜１６−３の下流側に配置されている。イメージセンサ１７は、搬送路２１を搬送される媒体の上面の画像を読み取る。厚みセンサ１８は、搬送路２１において、遮光検知センサ１６−１〜１６−３およびイメージセンサ１７の下流側に配置されている。厚みセンサ１８は、搬送路２１を搬送される媒体の厚みを検知する。切替部１９は、搬送路２１を搬送される媒体がスタッカ１２−１〜１２−３のうちの何れか１つに載置されるように、媒体の搬送先を切り替える。
【００１７】
また、図３に示すように、くじ用媒体読取装置１は、搬送路２１において、左側サイドガイド３５、右側サイドガイド３６、幅寄せ部３７を有する。左側サイドガイド３５は、左側案内面３８を有する。右側サイドガイド３６は、右側案内面３９を有する。左側案内面３８と右側案内面３９との間の距離は、所定距離Ｗである。幅寄せ部３７は、搬送路２１において、遮光検知センサ１６−１〜１６−３よりも上流側に配置されている。幅寄せ部３７は、搬送路２１を搬送される媒体の幅方向の一端辺が左側サイドガイド３５の左側案内面３８に接触するように、媒体を左側案内面３８方向へ移動させる。
【００１８】
図４は、くじ用媒体読取装置により画像が読み取られる媒体の一例を示す図である。くじ用媒体読取装置１により画像が読み取られる媒体は、それぞれが長方形状であり、種類によってサイズが異なる。図４に示すように、媒体の種類には、第１コンビニチケット５１−１、第２コンビニチケット５１−２、第３コンビニチケット５１−３、特約店チケット５２、投票シート５３がある。第１コンビニチケット５１−１、第２コンビニチケット５１−２、第３コンビニチケット５１−３、特約店チケット５２は、くじの投票情報が印刷されているくじ券である。投票シート５３は、くじ券を購入する際にくじの投票情報が記入されるくじ投票券である。なお、図４は、くじ用媒体読取装置１により画像が読み取られる複数種類の媒体の一例を示すに過ぎない。
【００１９】
例えば、第１コンビニチケット５１−１のサイズは、幅×長さ＝ＷＥ×Ｅである。また、例えば、第２コンビニチケット５１−２のサイズは、幅×長さ＝ＷＤ×Ｄである。また、例えば、第３コンビニチケット５１−３のサイズは、幅×長さ＝ＷＣ×Ｃである。また、例えば、特約店チケット５２のサイズは、幅×長さ＝ＷＡ×Ａである。また、例えば、投票シート５３のサイズは、幅×長さ＝ＷＢ×Ｂである。ここで、本実施例では、各媒体の長さに関し、Ａ＜Ｅ＜Ｃ＜Ｂ≦Ｄの大小関係であるとする。また、本実施例では、各媒体の幅に関し、ＷＤ＜ＷＥ＜ＷＣ＜Ｗ（“Ｗ”は左側案内面３８と右側案内面３９との間の距離（図３参照））の大小関係であるとする。また、本実施例では、長さに対する幅の比が、第３コンビニチケット５１−３が最も大きく、第２コンビニチケット５１−２が最も小さいとする。
【００２０】
図５は、制御装置の一例を示すブロック図である。制御装置８は、ＣＰＵ（Central  Processing  Unit）６１、記憶装置６２、入出力装置６３、リムーバブルメディアドライブ６４を有する。ＣＰＵ６１は、コンピュータプログラムを実行することにより、くじ発券照合装置２の各部を制御する。記憶装置６２は、コンピュータプログラムおよびＣＰＵ６１により利用される各種情報を記録するための、例えばＲＡＭ（Random  Access  Memory等の内部記憶装置、ＳＳＤ（Solid  State  Drive）等の外部記憶装置である。
【００２１】
入出力装置６３は、例えばタッチパネルである。リムーバブルメディアドライブ６４は、記録媒体６５が装填される。記録媒体６５は、半導体記憶媒体、磁気記憶媒体、光記憶媒体、光磁気記憶媒体等である。リムーバブルメディアドライブ６４は、記録媒体６５に記録されている情報を読み取る。なお、制御装置８が実行するコンピュータプログラムは、ルータ１０および公衆網もしくは閉域網を介して他のコンピュータから取得されたものであってもよい。
【００２２】
（くじ発券照合装置２の動作）
制御装置８は、カード読取装置３を制御し、カード読取装置３へ挿入された会員カードから会員情報を読み取る。そして、制御装置８は、挿入検知センサ１４を制御し、トレイ１１に媒体が載置されているか否かを検出する。制御装置８は、トレイ１１に媒体が載置されていることを検出すると、幅寄せ部３７を制御し、トレイ１１に載置されている媒体の一端辺が左側サイドガイド３５の左側案内面３８に接触するように媒体を幅寄せする。
【００２３】
制御装置８は、トレイ１１に媒体が載置されていることを検出すると、ピックローラ２３を制御し、トレイ１１に載置されている媒体を搬送路２１へ繰り出す。制御装置８は、複数の媒体が重ねてトレイ１１に載置されている場合には、ピックローラ２３を制御し、複数の媒体のうち最も上に位置する媒体を他の媒体から分離して搬送路２１へ繰り出す。そして、制御装置８は、搬送ローラ対２４−１〜２４−３を制御し、搬送ローラ対２４−１〜２４−３を一定速度で回転させ、搬送路２１へ繰り出された媒体を搬送方向２２へ一定の搬送速度で搬送する。
【００２４】
ここで、くじ用媒体読取装置１において、トレイ１１に複数の媒体が重ねて載置されている場合、最も上に位置する媒体を含む複数の媒体が、少なくとも一部が重なった状態で搬送路２１へ同時に繰り出されることがある。くじ用媒体読取装置１において、少なくとも一部が重なった状態で複数の媒体が搬送路２１へ繰り出された場合に、重なった状態のまま複数の媒体が搬送路２１を搬送されるダブルフィードが発生する。
【００２５】
制御装置８は、遮光検知センサ１６−１〜１６−３がセンサ遮光されたか否かを検出する。そして、制御装置８は、遮光検知センサ１６−１〜１６−３それぞれがセンサ遮光されたことを検出するとともに、遮光検知センサ１６−１〜１６−３それぞれがセンサ遮光された各時間を計時する。
【００２６】
制御装置８は、計時した各時間と、搬送路２１を媒体が搬送される搬送速度とに基づいて、「媒体長情報」および「媒体幅情報」を算出する。「媒体長情報」は、遮光検知センサ１６−３が搬送路２１を搬送される媒体によりセンサ遮光されたタイミングに搬送速度を乗算することで算出される。「媒体長情報」は、遮光検知センサ１６−３をセンサ遮光した媒体の搬送方向２２の長さである。「媒体幅情報」は、遮光検知センサ１６−１および遮光検知センサ１６−２が搬送路２１を搬送される媒体により同時にセンサ遮光されたタイミングに搬送速度を乗算することで算出される。
【００２７】
また、制御装置８は、イメージセンサ１７を制御し、搬送路２１を搬送されている媒体の上面の画像を読み取る。また、制御装置８は、厚みセンサ１８を制御し、搬送路２１を搬送されている媒体の厚みを測定する。制御装置８は、複数の媒体が重なっている部分の厚みが１枚の媒体の厚みより厚いことから、厚みセンサ１８により測定した厚みに基づいてダブルフィードの発生を検出できる。
【００２８】
ここで、厚みセンサ１８は、搬送路２１を搬送されている媒体の搬送方向２２の長さが所定の厚み検知長さより短い場合に、厚み検知時間を十分に確保できないことから、媒体の厚みを正確に測定できないことがある。すなわち、制御装置８は、厚みセンサ１８により測定された媒体の厚みにのみに基づいて、ダブルフィードの発生を適切に検出することができない。
【００２９】
そこで、制御装置８は、厚みと媒体長情報と媒体幅情報と画像とに基づいて、媒体が、第１コンビニチケット５１−１、第２コンビニチケット５１−２、第３コンビニチケット５１−３、特約店チケット５２、投票シート５３、異常媒体の何れであるかを判定する。異常媒体は、例えば、第１コンビニチケット５１−１、第２コンビニチケット５１−２、第３コンビニチケット５１−３、特約店チケット５２、投票シート５３の何れでもない媒体、または、ダブルフィードが発生している状態の媒体である。
【００３０】
制御装置８は、イメージセンサ１７により、投票シート５３に記入されている投票情報を読み取る。そして、制御装置８は、チケットプリンタ７を制御し、投票シート５３から読み取った投票情報に基づく所定の画像が印刷されたくじ券を発券する。また、制御装置８は、イメージセンサ１７により、くじ券に印刷されている投票情報を読み取る。そして、制御装置８は、くじ券から読み取った投票情報に基づいて、くじ券が当たり券であるかはずれ券であるかを判定する。
【００３１】
また、制御装置８は、搬送路２１を搬送される媒体の種別および異常媒体であるか否かの判定結果に応じて、切替部１９を制御し、判定した媒体をスタッカ１２−１〜１２−３の何れかへ搬送する。そして、制御装置８は、トレイ１１に載置された媒体の全てがスタッカ１２−１〜１２−３へ搬送された後、お客様表示用モニタ５および店舗表示用モニタ６それぞれに所定の情報を表示する。
【００３２】
（媒体の種類を判定する動作を示すフローチャート）
図６は、媒体の種類を判定する動作の一例を示すフローチャートである。図６に示すように、先ず、ステップＳ１では、制御装置８は、厚みセンサ１８により測定された厚みが所定値を超えるか否かを判定する。例えば、所定値は、１枚の媒体の最大値である。制御装置８は、厚みセンサ１８により測定された厚みが所定値を超える場合（ステップＳ１：Ｙｅｓ）、ステップＳ９へ処理を移す。一方、制御装置８は、厚みセンサ１８により測定された厚みが所定値以下である場合（ステップＳ１：Ｎｏ）、ステップＳ２へ処理を移す。ステップＳ９では、制御装置８は、異常媒体（ダブルフィード）が発生していると判定する。
【００３３】
ステップＳ２では、制御装置８は、媒体長情報が所定の特約店チケット長範囲に含まれるか否かを判別する。具体的には、媒体長情報≦Ａ±αであるか否かを判定する。ここで、“Ａ”は、特約店チケット５２の長さである（図４参照）。また、“α”は、特約店チケット５２の媒体長情報の誤差を含んだマージン値である。制御装置８は、媒体長情報≦Ａ±αである（媒体長情報が所定の特約店チケット長範囲に含まれる）場合（ステップＳ２：Ｙｅｓ）、ステップＳ３へ処理を移す。一方、制御装置８は、媒体長情報＞Ａ±αである（媒体長情報が所定の特約店チケット長範囲に含まれない）場合（ステップＳ２：Ｎｏ）、ステップＳ４へ処理を移す。ステップＳ３では、制御装置８は、搬送路２１を搬送される媒体が特約店チケット５２であると判定する。
【００３４】
ステップＳ４では、制御装置８は、媒体長情報と媒体幅情報との差が所定値範囲に含まれるか否かを判別する。具体的には、媒体長情報≦媒体幅情報±βであるか否かを判定する。ここで、“β”は、媒体長情報および媒体幅情報の誤差を含んだマージン値である。制御装置８は、媒体長情報≦媒体幅情報±βである（媒体長情報と媒体幅情報との差が所定値範囲に含まれる）場合（ステップＳ４：Ｙｅｓ）、ステップＳ５へ処理を移す。一方、制御装置８は、媒体長情報＞媒体幅情報±βである（媒体長情報と媒体幅情報との差が所定値範囲に含まれない）場合（ステップＳ４：Ｎｏ）、ステップＳ６へ処理を移す。ステップＳ５では、制御装置８は、搬送路２１を搬送されている媒体が投票シート５３であると判定する。
【００３５】
ステップＳ６では、制御装置８は、媒体幅情報が所定値範囲に含まれるか否かを判別する。具体的には、媒体幅情報≦Ｘ±γ以下であるか否かを判定する。ここで、“Ｘ”は、所定値である。また、“γ”は、媒体幅情報の誤差を含んだマージン値である。制御装置８は、媒体幅情報≦Ｘ±γである（媒体幅情報が所定値範囲に含まれる）場合（ステップＳ６：Ｙｅｓ）、ステップＳ７へ処理を移す。一方、制御装置８は、媒体幅情報＞Ｘ±γである（媒体幅情報が所定値範囲に含まれない）場合（ステップＳ６：Ｎｏ）、搬送路２１を搬送されている媒体が異常媒体であると判断し、ステップＳ９へ処理を移す。
【００３６】
ステップＳ７では、制御装置８は、媒体長情報が所定値範囲に含まれるか否かを判別する。具体的には、媒体長情報がＥ±δ１〜Ｄ±δ２の範囲に含まれる（媒体長情報≦Ｅ±δ１〜Ｄ±δ２）か否かを判定する。ここで、“Ｅ”は、第１コンビニチケット５１−１の長さＥ、第２コンビニチケット５１−２の長さＤ、第３コンビニチケット５１−３の長さＣのうち最小値である第１コンビニチケット５１−１の長さである（図４参照）。また、“Ｄ”は、第１コンビニチケット５１−１の長さＥ、第２コンビニチケット５１−２の長さＤ、第３コンビニチケット５１−３の長さＣのうち最大値である第２コンビニチケット５１−２の長さである（図４参照）。また、“δ１”および“δ２”は、媒体長情報の誤差を含んだマージン値である。
【００３７】
制御装置８は、媒体長情報≦Ｅ±δ１〜Ｄ±δ２である（媒体長情報が所定値範囲に含まれる）場合（ステップＳ７：Ｙｅｓ）、ステップＳ８へ処理を移す。一方、制御装置８は、媒体長情報＞Ｅ±δ１〜Ｄ±δ２である（媒体長情報が所定値範囲に含まれない）場合（ステップＳ７：Ｎｏ）、ステップＳ９へ処理を移す。ステップＳ８では、制御装置８は、搬送路２１を搬送される媒体が第１コンビニチケット５１−１、第２コンビニチケット５１−２、第３コンビニチケット５１−３の何れかであると判定する。そして、制御装置８は、第１コンビニチケット５１−１、第２コンビニチケット５１−２、第３コンビニチケット５１−３の何れかであると判定された媒体の種類を、媒体長情報に基づいて特定する。
【００３８】
さらに、制御装置８は、図６に示すフローチャートによる処理により、搬送路２１を搬送される媒体の種類を判定した後に、イメージセンサ１７により読み取られた画像に基づいて、搬送路２１を搬送される媒体が異常媒体であるか否かを判定する。例えば、制御装置８は、イメージセンサ１７により読み取られた画像に複数の媒体が写し出されているときに、ダブルフィードが発生している、すなわち異常媒体であると判定する。制御装置８は、イメージセンサ１７により読み取られた画像に１つの媒体が写し出されているときに、ダブルフィードが発生していないと判定する。そして、制御装置８は、イメージセンサ１７により読み取られた画像に基づいてダブルフィードが発生していないと判定すると、画像に基づいて媒体の種類を判定する。
【００３９】
（第１ダブルフィード状態）
図７は、２つの媒体が重なった状態で搬送路を搬送される第１ダブルフィード状態の一例を示す平面図である。図７は、第１ダブルフィード状態の一例として、特約店チケット５２と第１コンビニチケット５１−１が重なって搬送される状態を示す。第１ダブルフィード状態では、特約店チケット５２が第１コンビニチケット５１−１の搬送方向２２の上流側に位置し、特約店チケット５２と第１コンビニチケット５１−１とが重なり領域７２で重なっている。重なり領域７２は、搬送方向２２の差渡しの幅が所定の厚み検知長さより短い。第１ダブルフィード状態では、搬送路２１に繰り出されるときに幅寄せ部３７により幅寄せされ、特約店チケット５２および第１コンビニチケット５１−１の左側の端面が左側サイドガイド３５の左側案内面３８に接触するように直線状に揃えられている。以下、図７に示すように、特約店チケット５２および第１コンビニチケット５１−１が重なり領域７２を有して重なった状態の媒体を、「第１ダブルフィード媒体７１」という。
【００４０】
第１ダブルフィード媒体７１は、第１部位７３−１と第２部位７３−２と第３部位７３−３とを有する。第１部位７３−１は、第１ダブルフィード媒体７１が搬送路２１を搬送されるときに、遮光検知センサ１６−１を通過する部位を示している。第２部位７３−２は、第１ダブルフィード媒体７１が搬送路２１を搬送されるときに、遮光検知センサ１６−２を通過する部位を示している。第３部位７３−３は、第１ダブルフィード媒体７１が搬送路２１を搬送されるときに、遮光検知センサ１６−３を通過する部位を示している。
【００４１】
第１ダブルフィード媒体７１は、第１部位７３−１の搬送方向２２の位置が、第２部位７３−２の搬送方向２２の位置と部分的に重なっている。このため、第１ダブルフィード媒体７１は、搬送路２１を搬送されるときに、遮光検知センサ１６−１および遮光検知センサ１６−２により同時に検出されるタイミングがある（図３参照）。第１部位７３−１と第２部位７３−２とが搬送方向２２で重なっている部位の長さ７４は、遮光検知センサ１６−１および遮光検知センサ１６−２により同時に検出される搬送方向２２の長さである。
【００４２】
長さ７４は、第１ダブルフィード媒体７１が搬送路２１を搬送されるときに、複数の遮光検知センサ１６−１〜１６−３により検出される複数のタイミングに基づいて算出される媒体幅情報に該当する。また、第３部位７３−３の搬送方向２２の長さは、第１ダブルフィード媒体７１が搬送路２１を搬送されるときに、遮光検知センサ１６−３により検出されるタイミングに基づいて算出される媒体長情報に該当する。
【００４３】
第１ダブルフィード媒体７１は、重なり領域７２の搬送方向２２の差渡しの幅が所定の厚み検知長さより短いことにより、図６に示すフローチャートのステップＳ１で、厚みセンサ１８により測定された厚みが所定値を超えていないと判定されることがある。すなわち、第１ダブルフィード媒体７１は、厚みセンサ１８により測定された厚みに基づいてダブルフィードが発生していると判定されないことがある。
【００４４】
しかし、第１ダブルフィード媒体７１は、媒体長情報＞Ａ±α（図６のステップＳ２：Ｎｏ）かつ媒体長情報＞媒体幅情報±β（図６のステップＳ４：Ｎｏ）かつ媒体幅情報＞Ｘ±γ（図６のステップＳ６：Ｎｏ）である。よって、第１ダブルフィード媒体７１は、図６に示すフローチャートの処理により異常媒体であると判定される。
【００４５】
なお、従来技術では、第１ダブルフィード媒体７１は、搬送路２１を搬送される媒体の搬送方向２２の長さと幅とに基づいて媒体の種類を判定するため、ダブルフィードが発生しておらず、投票シート５３であると判定される場合がある。
【００４６】
（第２ダブルフィード状態）
図８は、２つの媒体が重なった状態で搬送路を搬送される第２ダブルフィード状態の一例を示す平面図である。図８は、第２ダブルフィード状態の一例として、特約店チケット５２と第１コンビニチケット５１−１が重なって搬送される状態を示す。第２ダブルフィード状態では、特約店チケット５２が第１コンビニチケット５１−１の搬送方向２２の下流側に位置し、特約店チケット５２と第１コンビニチケット５１−１とが重なり領域７７で重なっている。重なり領域７７は、搬送方向２２の差渡しの幅が所定の厚み検知長さより短い。第２ダブルフィード状態では、搬送路２１に繰り出されるときに幅寄せ部３７により幅寄せされ、特約店チケット５２および第１コンビニチケット５１−１の左側の端面が左側サイドガイド３５の左側案内面３８に接触するように直線状に揃えられている。以下、図８に示すように、特約店チケット５２および第１コンビニチケット５１−１が重なり領域７７を有して重なった状態の媒体を、「第２ダブルフィード媒体７６」という。
【００４７】
第２ダブルフィード媒体７６は、第１部位７８−１と第２部位７８−２と第３部位７８−３とを有する。第１部位７８−１は、第２ダブルフィード媒体７６が搬送路２１を搬送されるときに、遮光検知センサ１６−１を通過する部位を示している。第２部位７８−２は、第２ダブルフィード媒体７６が搬送路２１を搬送されるときに、遮光検知センサ１６−２を通過する部位を示している。第３部位７８−３は、第２ダブルフィード媒体７６が搬送路２１を搬送されるときに、遮光検知センサ１６−３を通過する部位を示している。
【００４８】
第２ダブルフィード媒体７６は、第１部位７８−１の搬送方向２２の位置が、第２部位７８−２の搬送方向２２の位置と部分的に重なっている。このため、第２ダブルフィード媒体７６は、搬送路２１を搬送されるときに、遮光検知センサ１６−１および遮光検知センサ１６−２で同時に検出されるタイミングがある。第１部位７８−１と第２部位７８−２とが搬送方向２２で重なっている部位の長さ７９は、遮光検知センサ１６−１および遮光検知センサ１６−２により同時に検出される搬送方向２２の長さである。
【００４９】
長さ７９は、第２ダブルフィード媒体７６が搬送路２１を搬送されるときに、複数の遮光検知センサ１６−１〜１６−３により検出される複数のタイミングに基づいて算出される媒体幅情報に該当する。また、第３部位７８−３の搬送方向２２の長さは、第２ダブルフィード媒体７６が搬送路２１を搬送されるときに、遮光検知センサ１６−３により検出されるタイミングに基づいて算出される媒体長情報に該当する。
【００５０】
第２ダブルフィード媒体７６は、重なり領域７７の搬送方向２２の差渡しの幅が所定の厚み検知長さより短いことにより、図６に示すフローチャートのステップＳ１で、厚みセンサ１８により測定された厚みが所定値を超えていないと判定されることがある。すなわち、第２ダブルフィード媒体７６は、厚みセンサ１８により測定された厚みに基づいてダブルフィードが発生していると判定されないことがある。
【００５１】
しかし、第２ダブルフィード媒体７６は、媒体長情報＞Ａ±α（図６のステップＳ２：Ｎｏ）かつ媒体長情報＞媒体幅情報±β（図６のステップＳ４：Ｎｏ）かつ媒体幅情報＞Ｘ±γ（図６のステップＳ６：Ｎｏ）である。よって、第２ダブルフィード媒体７６は、図６に示すフローチャートの処理により異常媒体であると判定される。
【００５２】
なお、従来技術では、第２ダブルフィード媒体７６は、搬送路２１を搬送される媒体の搬送方向２２の長さと幅とに基づいて媒体の種類を判定するため、ダブルフィードが発生しておらず、投票シート５３であると判定されることがある。
【００５３】
このように、くじ用媒体読取装置１は、媒体の厚みに基づいてダブルフィードの発生が検出されない場合であっても、媒体長情報および媒体幅情報に基づき異常媒体であると判定し、ダブルフィードの発生を適切に検出することができる。
【００５４】
ところで、実施例にかかるくじ用媒体読取装置１は、幅寄せ部３７を備えているが、幅寄せ部３７が省略されてもよい。以下、くじ用媒体読取装置１において幅寄せ部３７が省略された場合におけるダブルフィードについて説明する。
【００５５】
（第３ダブルフィード状態）
図９は、２つの媒体が重なった状態で搬送路を搬送される第３ダブルフィード状態の一例を示す平面図である。図９は、第３ダブルフィード状態の一例として、特約店チケット５２と第１コンビニチケット５１−１が重なって搬送される状態を示す。第３ダブルフィード状態では、特約店チケット５２が第１コンビニチケット５１−１の搬送方向２２の上流側に位置し、特約店チケット５２と第１コンビニチケット５１−１とが重なり領域８２で重なっている。重なり領域８２は、搬送方向２２の差渡しの幅が所定の厚み検知長さより短い。第３ダブルフィード状態では、特約店チケット５２および第１コンビニチケット５１−１が幅寄せされていない状態で搬送路２１に繰り出され、特約店チケット５２および第１コンビニチケット５１−１の左側の一端辺が直線状に揃えられていない。以下、図９に示すように、特約店チケット５２および第１コンビニチケット５１−１が重なり領域８２を有して重なった状態の媒体を、「第３ダブルフィード媒体８１」という。
【００５６】
第３ダブルフィード媒体８１は、第１部位８３−１と第２部位８３−２と第３部位８３−３とを有する。第１部位８３−１は、第３ダブルフィード媒体８１が搬送路２１を搬送されるときに、遮光検知センサ１６−１を通過する部位を示している。第２部位８３−２は、第３ダブルフィード媒体８１が搬送路２１を搬送されるときに、遮光検知センサ１６−２を通過する部位を示している。第３部位８３−３は、第３ダブルフィード媒体８１が搬送路２１を搬送されるときに、遮光検知センサ１６−３を通過する部位を示している。
【００５７】
第３ダブルフィード媒体８１は、第１部位８３−１の搬送方向２２の位置が、第２部位８３−２の搬送方向２２の位置と部分的に重なっている。このため、第３ダブルフィード媒体８１は、搬送路２１を搬送されるときに、遮光検知センサ１６−１および遮光検知センサ１６−２により同時に検出されるタイミングがある。
【００５８】
第１部位８３−１と第２部位８３−２とが搬送方向２２で重なっている部位の長さ８４は、遮光検知センサ１６−１および遮光検知センサ１６−２により検出される複数のタイミングに基づいて算出される媒体幅情報に該当する。また、第３部位８３−３の搬送方向２２の長さは、第３ダブルフィード媒体８１が搬送路２１を搬送されるときに、遮光検知センサ１６−３により検出されるタイミングに基づいて算出される媒体長情報に該当する。第３ダブルフィード媒体８１は、媒体長情報および媒体幅情報に基づき、図６に示すフローチャートの処理により異常媒体であると判定される。
【００５９】
（第４ダブルフィード状態）
図１０は、２つの媒体が重なった状態で搬送路を搬送される第４ダブルフィード状態の一例を示す平面図である。図１０は、第４ダブルフィード状態の一例として、特約店チケット５２と第１コンビニチケット５１−１が重なって搬送される状態を示す。第４ダブルフィード状態では、特約店チケット５２が第１コンビニチケット５１−１の搬送方向２２の下流側に位置し、特約店チケット５２と第１コンビニチケット５１−１とが重なり領域８７で重なっている。重なり領域８７は、搬送方向２２の差渡しの幅が所定の厚み検知長さより短い。第４ダブルフィード状態では、特約店チケット５２および第１コンビニチケット５１−１が幅寄せされていない状態で搬送路２１に繰り出され、特約店チケット５２および第１コンビニチケット５１−１の左側の一端辺が直線状に揃えられていない。以下、図１０に示すように、特約店チケット５２および第１コンビニチケット５１−１が重なり領域８７を有して重なった状態の媒体を、「第４ダブルフィード媒体８６」という。
【００６０】
第４ダブルフィード媒体８６は、第１部位８８−１と第２部位８８−２と第３部位８８−３とを有する。第１部位８８−１は、第４ダブルフィード媒体８６が搬送路２１を搬送されるときに、遮光検知センサ１６−１を通過する部位を示している。第２部位８８−２は、第４ダブルフィード媒体８６が搬送路２１を搬送されるときに、遮光検知センサ１６−２を通過する部位を示している。第３部位８８−３は、第４ダブルフィード媒体８６が搬送路２１を搬送されるときに、遮光検知センサ１６−３を通過する部位を示している。
【００６１】
第４ダブルフィード媒体８６は、第１部位８８−１の搬送方向２２の位置が、第２部位８８−２の搬送方向２２の位置と部分的に重なっている。このため、第４ダブルフィード媒体８６は、搬送路２１を搬送されるときに、遮光検知センサ１６−１および遮光検知センサ１６−２により同時に検出されるタイミングがある。
【００６２】
第１部位８８−１と第２部位８８−２とが搬送方向２２で重なっている部位の長さ８９は、遮光検知センサ１６−１および遮光検知センサ１６−２により検出される複数のタイミングに基づいて算出される媒体幅情報に該当する。また、第３部位８８−３の搬送方向２２の長さは、第４ダブルフィード媒体８６が搬送路２１を搬送されるときに、遮光検知センサ１６−３により検出されるタイミングに基づいて算出される媒体長情報に該当する。第４ダブルフィード媒体８６は、媒体長情報および媒体幅情報に基づき、図６に示すフローチャートの処理により異常媒体であると判定される。
【００６３】
（第５ダブルフィード状態）
図１１は、２つの媒体が重なった状態で搬送路を搬送される第５ダブルフィード状態の一例を示す平面図である。図１１は、第５ダブルフィード状態の一例として、特約店チケット５２と第１コンビニチケット５１−１とが重なって搬送される状態を示す。第５ダブルフィード状態では、特約店チケット５２が第１コンビニチケット５１−１の搬送方向２２の上流側に位置し、特約店チケット５２と第１コンビニチケット５１−１とが重なり領域９２で重なっている。重なり領域９２は、搬送方向２２の差渡しの幅が所定の厚み検知長さより短い。第５ダブルフィード状態では、特約店チケット５２および第１コンビニチケット５１−１が幅寄せされないで搬送路２１に繰り出され、特約店チケット５２および第１コンビニチケット５１−１の左右の両端辺が直線状に揃えられていない。以下、図１１に示すように、特約店チケット５２および第１コンビニチケット５１−１が重なり領域９２を有して重なった状態の媒体を、「第５ダブルフィード媒体９１」という。
【００６４】
第５ダブルフィード媒体９１は、第１部位９３−１と第２部位９３−２と第３部位９３−３とを有する。第１部位９３−１は、第５ダブルフィード媒体９１が搬送路２１を搬送されるときに、遮光検知センサ１６−１を通過する部位を示している。第２部位９３−２は、第５ダブルフィード媒体９１が搬送路２１を搬送されるときに、遮光検知センサ１６−２を通過する部位を示している。第３部位９３−３は、第５ダブルフィード媒体９１が搬送路２１を搬送されるときに、遮光検知センサ１６−３を通過する部位を示している。
【００６５】
第５ダブルフィード媒体９１は、第１部位９３−１の搬送方向２２の位置が、第２部位９３−２の搬送方向２２の位置と部分的に重なっている。このため、第５ダブルフィード媒体９１は、搬送路２１を搬送されるときに、遮光検知センサ１６−１および遮光検知センサ１６−２により同時に検出されるタイミングがある。
【００６６】
第１部位９３−１と第２部位９３−２とが搬送方向２２で重なっている部位の長さ９４は、遮光検知センサ１６−１および遮光検知センサ１６−２により検出されるタイミングに基づいて算出される媒体幅情報に該当する。また、第３部位９３−３の搬送方向２２の長さは、第５ダブルフィード媒体９１が搬送路２１を搬送されるときに、遮光検知センサ１６−３により検出されるタイミングに基づいて算出される媒体長情報に該当する。第５ダブルフィード媒体９１は、媒体長情報および媒体幅情報に基づき、図６に示すフローチャートの処理により異常媒体であると判定される。
【００６７】
（第６ダブルフィード状態）
図１２は、２つの媒体が重なった状態で搬送路を搬送される第６ダブルフィード状態の一例を示す平面図である。図１２は、第６ダブルフィード状態の一例として、特約店チケット５２と第１コンビニチケット５１−１とが重なって搬送される状態を示す。第６ダブルフィード状態では、特約店チケット５２が第１コンビニチケット５１−１の搬送方向２２の下流側に位置し、特約店チケット５２と第１コンビニチケット５１−１とが重なり領域９７で重なっている。重なり領域９７は、搬送方向２２の差渡しの幅が所定の厚み検知長さより短い。第６ダブルフィード状態では、特約店チケット５２および第１コンビニチケット５１−１が幅寄せされていない状態で搬送路２１に繰り出され、特約店チケット５２および第１コンビニチケット５１−１の左右の両端辺が直線状に揃えられていない。以下、図１２に示すように、特約店チケット５２および第１コンビニチケット５１−１が重なり領域９７を有して重なった状態の媒体を、「第６ダブルフィード媒体９６」という。
【００６８】
第６ダブルフィード媒体９６は、第１部位９８−１と第２部位９８−２と第３部位９８−３とを有する。第１部位９８−１は、第６ダブルフィード媒体９６が搬送路２１を搬送されるときに、遮光検知センサ１６−１を通過する部位を示している。第２部位９８−２は、第６ダブルフィード媒体９６が搬送路２１を搬送されるときに、遮光検知センサ１６−２を通過する部位を示している。第３部位９８−３は、第６ダブルフィード媒体９６が搬送路２１を搬送されるときに、遮光検知センサ１６−３を通過する部位を示している。
【００６９】
第６ダブルフィード媒体９６は、第１部位９８−１の搬送方向２２の位置が、第２部位９８−２の搬送方向２２の位置と部分的に重なっている。このため、第６ダブルフィード媒体９６は、搬送路２１を搬送されるときに、遮光検知センサ１６−１および遮光検知センサ１６−２により同時に検出されるタイミングがある。
【００７０】
第１部位９８−１と第２部位９８−２とが搬送方向２２で重なっている部位の長さ９９は、遮光検知センサ１６−１および遮光検知センサ１６−２により検出されるタイミングに基づいて算出される媒体幅情報に該当する。また、第３部位９８−３の搬送方向２２の長さは、第６ダブルフィード媒体９６が搬送路２１を搬送されるときに、遮光検知センサ１６−３により検出されるタイミングに基づいて算出される媒体長情報に該当する。第６ダブルフィード媒体９６は、媒体長情報および媒体幅情報に基づき、図６に示すフローチャートの処理により異常媒体であると判定される。
【００７１】
（第７ダブルフィード状態）
図１３は、２つの媒体が重なった状態で搬送路を搬送される第７ダブルフィード状態の一例を示す平面図である。図１３は、第７ダブルフィード状態の一例として、特約店チケット５２と第１コンビニチケット５１−１とが重なって搬送される状態を示す。第７ダブルフィード状態では、特約店チケット５２が第１コンビニチケット５１−１の搬送方向２２の上流側に位置し、特約店チケット５２と第１コンビニチケット５１−１とが重なり領域１０２で重なっている。重なり領域１０２は、搬送方向２２の差渡しの幅が所定の厚み検知長さより短い。第７ダブルフィード状態では、特約店チケット５２および第１コンビニチケット５１−１が幅寄せされていない状態で搬送路２１へ繰り出され、第１コンビニチケット５１−１が搬送方向２２に対して傾いている状態で位置している。以下、図１３に示すように、特約店チケット５２および第１コンビニチケット５１−１が重なり領域１０２を有して重なった状態の媒体を、「第７ダブルフィード媒体１０１」という。
【００７２】
第７ダブルフィード媒体１０１は、第１部位１０３−１と第２部位１０３−２と第３部位１０３−３とを有する。第１部位１０３−１は、第７ダブルフィード媒体１０１が搬送路２１を搬送されるときに、遮光検知センサ１６−１を通過する部位を示している。第２部位１０３−２は、第７ダブルフィード媒体１０１が搬送路２１を搬送されるときに、遮光検知センサ１６−２を通過する部位を示している。第３部位１０３−３は、第７ダブルフィード媒体１０１が搬送路２１を搬送されるときに、遮光検知センサ１６−３を通過する部位を示している。
【００７３】
第７ダブルフィード媒体１０１は、第１部位１０３−１の搬送方向２２の位置が、第２部位１０３−２の搬送方向２２の位置と部分的に重なっている。このため、第７ダブルフィード媒体１０１は、搬送路２１を搬送されるときに、遮光検知センサ１６−１および遮光検知センサ１６−２により同時に検出されるタイミングがある。
【００７４】
第１部位１０３−１と第２部位１０３−２とが搬送方向２２で重なっている部位の長さ１０４は、遮光検知センサ１６−１および遮光検知センサ１６−２により検出されるタイミングに基づいて算出される媒体幅情報に該当する。また、第３部位１０３−３の搬送方向２２の長さは、第７ダブルフィード媒体１０１が搬送路２１を搬送されるときに、遮光検知センサ１６−３により検出されるタイミングに基づいて算出される媒体長情報に該当する。第７ダブルフィード媒体１０１は、媒体長情報および媒体幅情報に基づき、図６に示すフローチャートの処理により異常媒体であると判定される。
【００７５】
（第８ダブルフィード状態）
図１４は、２つの媒体が重なった状態で搬送路を搬送される第８ダブルフィード状態の一例を示す平面図である。図１４は、第８ダブルフィード状態の一例として、特約店チケット５２と第１コンビニチケット５１−１とが重なって搬送される状態を示す。第８ダブルフィード状態では、特約店チケット５２が第１コンビニチケット５１−１の搬送方向２２の下流側に位置し、特約店チケット５２と第１コンビニチケット５１−１とが重なり領域１０７で重なっている。重なり領域１０７は、搬送方向２２の差渡しの幅が所定の厚み検知長さより短い。第８ダブルフィード状態では、特約店チケット５２および第１コンビニチケット５１−１が幅寄せされていない状態で搬送路２１へ繰り出され、第１コンビニチケット５１−１が搬送方向２２に対して傾いている状態で位置している。以下、図１４に示すように、特約店チケット５２および第１コンビニチケット５１−１が重なり領域１０７を有して重なった状態の媒体を、「第８ダブルフィード媒体１０６」という。
【００７６】
第８ダブルフィード媒体１０６は、第１部位１０８−１と第２部位１０８−２と第３部位１０８−３とを有する。第１部位１０８−１は、第８ダブルフィード媒体１０６が搬送路２１を搬送されるときに、遮光検知センサ１６−１を通過する部位を示している。第２部位１０８−２は、第８ダブルフィード媒体１０６が搬送路２１を搬送されるときに、遮光検知センサ１６−２を通過する部位を示している。第３部位１０８−３は、第８ダブルフィード媒体１０６が搬送路２１を搬送されるときに、遮光検知センサ１６−３を通過する部位を示している。
【００７７】
第８ダブルフィード媒体１０６は、第１部位１０８−１の搬送方向２２の位置が、第２部位１０８−２の搬送方向２２の位置と部分的に重なっている。このため、第８ダブルフィード媒体１０６は、搬送路２１を搬送されるときに、遮光検知センサ１６−１および遮光検知センサ１６−２により同時に検出されるタイミングがある。
【００７８】
第１部位１０８−１と第２部位１０８−２とが搬送方向２２で重なっている部位の長さ１０９は、遮光検知センサ１６−１および遮光検知センサ１６−２により検出されるタイミングに基づいて算出される媒体幅情報に該当する。また、第３部位１０８−３の搬送方向２２の長さは、第８ダブルフィード媒体１０６が搬送路２１を搬送されるときに、遮光検知センサ１６−３により検出されるタイミングに基づいて算出される媒体長情報に該当する。第８ダブルフィード媒体１０６は、媒体長情報および媒体幅情報に基づき、図６に示すフローチャートの処理により異常媒体であると判定される。
【００７９】
図９〜図１７に示す第３ダブルフィード媒体８１〜第８ダブルフィード媒体１０６は、搬送方向２２の長さと搬送方向２２に対して直交する幅方向の長さとに基づいて媒体の種類を判定する従来技術では、ダブルフィードが発生していると判定されないことがある。一方、実施例によれば、第３ダブルフィード媒体８１〜第８ダブルフィード媒体１０６は、媒体長情報および媒体幅情報に基づき、ダブルフィードが発生している異常媒体であると適切に判定される。
【００８０】
（第１傾斜状態）
図１５は、媒体が傾いた状態で搬送路を搬送される第１傾斜状態の一例を示す平面図である。図１５は、第１傾斜状態の一例として、第１コンビニチケット５１−１が幅寄せされず、搬送路２１の搬送方向２２に対して傾斜した状態で搬送される状態を示す。以下、図１５に示すように、搬送路２１の搬送方向２２に対して傾斜した状態で搬送される第１コンビニチケット５１−１を、「第１傾斜媒体１１１」という。
【００８１】
第１傾斜媒体１１１は、第１部位１１３−１と第２部位１１３−２と第３部位１１３−３とを有する。第１部位１１３−１は、第１傾斜媒体１１１が搬送路２１を搬送されるときに、遮光検知センサ１６−１を通過する部位を示している。第２部位１１３−２は、第１傾斜媒体１１１が搬送路２１を搬送されるときに、遮光検知センサ１６−２を通過する部位を示している。第３部位１１３−３は、第１傾斜媒体１１１が搬送路２１を搬送されるときに、遮光検知センサ１６−３を通過する部位を示している。
【００８２】
第１傾斜媒体１１１は、第１部位１１３−１の搬送方向２２の位置が、第２部位１１３−２の搬送方向２２の位置と重なり部分を有さない。このため、第１傾斜媒体１１１は、搬送路２１を搬送されるときに、遮光検知センサ１６−１および遮光検知センサ１６−２により同時に検出されるタイミングがない。すなわち、媒体幅情報は、０である。また、第３部位１１３−３の搬送方向２２の長さは、第１傾斜媒体１１１が搬送路２１を搬送されるときに、遮光検知センサ１６−３により検出されるタイミングに基づいて算出される媒体長情報に該当する。
【００８３】
第１傾斜媒体１１１は、媒体長情報＞Ａ±α（図６のステップＳ２：Ｎｏ）かつ媒体長情報＞媒体幅情報±β（図６のステップＳ４：Ｎｏ）かつ媒体幅情報＜Ｘ±γ（図６のステップＳ６：Ｙｅｓ）である。よって、第１傾斜媒体１１１は、図６に示すフローチャートの処理によりコンビニチケットであると判定される。
【００８４】
第１傾斜媒体１１１は、媒体の搬送方向２２の長さと搬送方向２２に対して直交する幅方向の長さとに基づいて媒体の種類を判定する従来技術では、投票シート５３であると判定され、コンビニチケットであると判定されないことがある。一方、実施例によれば、幅寄せ部３７が省略された場合であっても、第１傾斜媒体１１１は、媒体長情報および媒体幅情報に基づき、コンビニチケットであると適切に判定される。
【００８５】
（第２傾斜状態）
図１６は、媒体が傾いた状態で搬送路を搬送される第２傾斜状態の一例を示す平面図である。図１６は、第２傾斜状態の一例として、第３コンビニチケット５１−３が幅寄せされず、搬送路２１の搬送方向２２に対して傾斜した状態で搬送される状態を示す。以下、図１６に示すように、搬送路２１の搬送方向２２に対して傾斜した状態で搬送される第３コンビニチケット５１−３を、「第２傾斜媒体１１６」という。
【００８６】
第２傾斜媒体１１６は、第１部位１１８−１と第２部位１１８−２と第３部位１１８−３とを有する。第１部位１１８−１は、第２傾斜媒体１１６が搬送路２１を搬送されるときに、遮光検知センサ１６−１を通過する部位を示している。第２部位１１８−２は、第２傾斜媒体１１６が搬送路２１を搬送されるときに、遮光検知センサ１６−２を通過する部位を示している。第３部位１１８−３は、第２傾斜媒体１１６が搬送路２１を搬送されるときに、遮光検知センサ１６−３を通過する部位を示している。
【００８７】
第２傾斜媒体１１６は、第１部位１１８−１の一部の搬送方向２２の位置が、第２部位１１８−２の搬送方向２２の位置と部分的に重なる。このため、第２傾斜媒体１１６は、搬送路２１を搬送されるときに、遮光検知センサ１６−１および遮光検知センサ１６−２により同時に検出されるタイミングがある。
【００８８】
第１部位１１８−１と第２部位１１８−２とが搬送方向２２で重なっている部位の長さ１１９は、遮光検知センサ１６−１および遮光検知センサ１６−２により検出されるタイミングに基づいて算出される媒体幅情報に該当する。ここで、第３コンビニチケット５１−３は、第１コンビニチケット５１−１および第２コンビニチケット５１−２と比較して、長さに対する幅の比が最も大きい（図４参照）ことから、媒体幅情報＞Ｘ±γ（図６参照）となる場合がある。また、第３部位１１８−３の搬送方向２２の長さは、第２傾斜媒体１１６が搬送路２１を搬送されるときに、遮光検知センサ１６−３により検出されるタイミングに基づいて算出される媒体長情報に該当する。
【００８９】
第２傾斜媒体１１６は、媒体長情報＞Ａ±α（図６のステップＳ２：Ｎｏ）かつ媒体長情報＞媒体幅情報±β（図６のステップＳ４：Ｎｏ）かつ媒体幅情報＞Ｘ±γ（図６のステップＳ６：Ｎｏ）となる場合がある。すなわち、第２傾斜媒体１１６は、図６に示すフローチャートの処理により異常媒体であると判定されることがある。そこで、くじ用媒体読取装置１は、イメージセンサ１７により読み取られた画像に基づいて、搬送路２１を搬送される媒体の種類を判定することにより、第２傾斜媒体１１６が第３コンビニチケット５１−３であると判定する。
【００９０】
（第９ダブルフィード状態）
図１７は、２つの媒体が重なった状態で搬送路を搬送される第９ダブルフィード状態の一例を示す平面図である。図１７は、第９ダブルフィード状態の一例として、特約店チケット５２と第３コンビニチケット５１−３とが重なって搬送される状態を示す。第９ダブルフィード状態では、特約店チケット５２が第３コンビニチケット５１−３の搬送方向２２の上流側に位置し、特約店チケット５２と第３コンビニチケット５１−３とが重なり領域１２２で重なっている。重なり領域１２２は、搬送方向２２の差渡しの幅が所定の厚み検知長さより短い。第９ダブルフィード状態では、特約店チケット５２および第３コンビニチケット５１−３が幅寄せされないで搬送路２１へ繰り出され、特約店チケット５２および第３コンビニチケット５１−３の左右の両端辺が直線状に揃えられていない。以下、図１７に示すように、特約店チケット５２および第３コンビニチケット５１−３が重なり領域１２２を有して重なった状態の媒体を、「第９ダブルフィード媒体１２１」という。
【００９１】
第９ダブルフィード媒体１２１は、第１部位１２３−１と第２部位１２３−２と第３部位１２３−３とを有する。第１部位１２３−１は、第９ダブルフィード媒体１２１が搬送路２１を搬送されるときに、遮光検知センサ１６−１を通過する部位を示している。第２部位１２３−２は、第９ダブルフィード媒体１２１が搬送路２１を搬送されるときに、遮光検知センサ１６−２を通過する部位を示している。第３部位１２３−３は、第９ダブルフィード媒体１２１が搬送路２１を搬送されるときに、遮光検知センサ１６−３を通過する部位を示している。
【００９２】
図１７に示すように、第９ダブルフィード媒体１２１は、幅寄せされないで搬送路２１に繰り出されたことにより、第３コンビニチケット５１−３が左側案内面３８と右側案内面３９との両方に接触しないことがある。第９ダブルフィード媒体１２１は、第３コンビニチケット５１−３が左側案内面３８と右側案内面３９との両方に接触していないときに、第３コンビニチケット５１−３が遮光検知センサ１６−１および遮光検知センサ１６−２により同時に検出されることがある。このとき、第９ダブルフィード媒体１２１は、第１部位１２３−１と第２部位１２３−２とが搬送方向２２で重なる。
【００９３】
第９ダブルフィード媒体１２１は、重なり領域１２２の搬送方向２２の差渡しの幅が所定の厚み検知長さより短いことにより、図６に示すフローチャートのステップＳ１で、厚みセンサ１８により測定された厚みが所定値を超えていないと判定されることがある。すなわち、第９ダブルフィード媒体１２１は、厚みセンサ１８により測定された厚みに基づいてダブルフィードが発生していると判定されないことがある。また、第９ダブルフィード媒体１２１は、媒体長情報＞Ａ±α（図６のステップＳ２：Ｎｏ）かつ媒体長情報＝媒体幅情報±β（図６のステップＳ４：Ｙｅｓ）となり、図６に示すフローチャートの処理により投票シート５３であると判定されることがある。
【００９４】
そこで、くじ用媒体読取装置１は、イメージセンサ１７により読み取られた画像に基づいて、搬送路２１を搬送される媒体が異常媒体であるか否かを判定することにより、第９ダブルフィード媒体１２１を異常媒体であると適切に判定することができる。
【００９５】
このように、くじ用媒体読取装置１は、媒体の画像に基づいてダブルフィードの発生を判定することにより、媒体の厚み、媒体長情報、媒体幅情報に基づきダブルフィードの発生が検出されない場合であっても、ダブルフィードの発生を検出することができる。
【００９６】
上述の実施例にかかるくじ用媒体読取装置１は、イメージセンサ１７により読み取られた画像に基づいて媒体が異常媒体であるか否かを判定している。しかし、くじ用媒体読取装置１は、遮光検知センサ１６−１〜１６−３の検知結果に基づいて媒体の種類を判定することができる場合には、イメージセンサ１７により読み取られた画像に基づく判定を省略してもよい。例えば、くじ用媒体読取装置１は、第３コンビニチケット５１−３が搬送路２１を搬送される可能性がない場合、イメージセンサ１７により読み取られた画像に基づく判定を省略してもよい。
【００９７】
また、実施例のくじ用媒体読取装置１は、厚みセンサ１８により測定された媒体の厚みに基づいてダブルフィードが発生しているか否かを判定しているが、厚みセンサ１８が他のセンサに置換されてもよい。このような他のセンサとしては、媒体に超音波を照射することによりダブルフィードの発生を検出する超音波センサが例示される。くじ用媒体読取装置１は、厚みセンサ１８がこのようなセンサに置換された場合でも、同様にして、ダブルフィードの発生を適切に検出することができる。
【００９８】
また、上述の実施例では、くじ発券照合装置２は、幅寄せ部３７により、トレイ１１に載置されている媒体の一端辺が左側サイドガイド３５の左側案内面３８に接触するように媒体を幅寄せするとした。しかし、これに限られず、くじ発券照合装置２は、幅寄せ部３７により、トレイ１１に載置されている媒体の一端辺が右側サイドガイド３６の右側案内面３９に接触するように媒体を幅寄せするとしてもよい。
【００９９】
なお、実施例にかかるくじ用媒体読取装置１は、くじ発券照合装置２に設けられているが、他の装置に設けられてもよい。その装置としては、くじ券の発券を行わず、くじ券の当せんを確認するためのくじ照合装置が例示される。
【０１００】
以上、実施例を説明したが、上述した内容により実施例が限定されるものではない。また、上述した構成要素には、当業者が容易に想定できるもの、実質的に同一のもの、いわゆる均等の範囲のものが含まれる。さらに、上述した構成要素は適宜組み合わせることが可能である。さらに、実施例の要旨を逸脱しない範囲で構成要素の種々の省略、置換および変更のうち少なくとも１つを行うことができる。
【符号の説明】
【０１０１】
１      ：くじ用媒体読取装置
８      ：制御装置
１１    ：トレイ
１２−１〜１２−３：スタッカ
１５    ：搬送部
１６−１〜１６−３：遮光検知センサ
１７    ：イメージセンサ
１８    ：厚みセンサ
１９    ：切替部
２１    ：搬送路
２２    ：搬送方向
３７    ：幅寄せ部
【図１】
2019108184.tif 000003
【図２】
2019108184.tif 000004
【図３】
2019108184.tif 000005
【図４】
2019108184.tif 000006
【図５】
2019108184.tif 000007
【図６】
2019108184.tif 000008
【図７】
2019108184.tif 000009
【図８】
2019108184.tif 000010
【図９】
2019108184.tif 000011
【図１０】
2019108184.tif 000012
【図１１】
2019108184.tif 000013
【図１２】
2019108184.tif 000014
【図１３】
2019108184.tif 000015
【図１４】
2019108184.tif 000016
【図１５】
2019108184.tif 000017
【図１６】
2019108184.tif 000018
【図１７】
2019108184.tif 000019